(57)【要約】【課題】  施工が容易で、安価にして構造上優れた剛性が得られる連続壁体とその構築方法を提供する。【解決手段】  Ｈ形部材２，２を矢板として用いた連続壁体１であって、隣接するＨ形部材２，２のフランジ部４，４同士を重ね合わせ、両側のフランジ部４，４間に固化材６を充填する。フランジ部４，４同士の重ね合わせ長さを変えることで、簡単に壁体１の剛性を大きくしたり小さくしたりできる。そして、隣接するＨ形部材２，２のフランジ部４，４同士を重ね合わせ、空間Ｓに固化材６を充填することにより、壁体１の剛性が高まり、従来に比べて壁体１に用いる支保工部材が少なくて済み、支保工なしの自立式の土留壁を作り易くなる。【選択図】  図１
2005256571.tif 000002
【特許請求の範囲】
【請求項１】
Ｈ形部材を矢板として用いた連続壁体であって、隣接するＨ形部材のフランジ部同士を重ね合わせ、両側のフランジ部間に固化材を充填したことを特徴とする連続壁体。
【請求項２】
Ｈ形部材を矢板として用いた連続壁体であって、Ｈ形部材のフランジ部の延長線と隣接するＨ形部材のフランジ部とを重ね合わせ、両側のフランジ部及び略その延長線の間に固化材を充填したことを特徴とする連続壁体。
【請求項３】
前記Ｈ形部材には、隣接するＨ形部材同士を係合する継手部材を前記フランジ部に設けたことを特徴とする請求項１記載の連続壁体。
【請求項４】
前記Ｈ形部材には、隣接するＨ形部材同士を係合する継手部材を前記フランジ部に設けたことを特徴とする請求項２記載の連続壁体。
【請求項５】
前記固化材は、コンクリート又はモルタルであることを特徴とする請求項１〜４のいずれか１項に記載の連続壁体。
【請求項６】
前記固化材は、セメント又はソイルセメントであることを特徴とする請求項１〜４のいずれか１項に記載の連続壁体。
【請求項７】
前記フランジ部の内面に、固化材用剥離材を塗布したことを特徴とする請求項１〜６のいずれか１項に記載の連続壁体。
【請求項８】
前記固化材を充填した区間と充填しない区間とを有することを特徴とする請求鋼１〜７のいずれか１項の連続壁体。
【請求項９】
Ｈ形部材を矢板として用い、隣接するＨ形部材のフランジ部同士を重ね合わせた連続壁体の構築方法であって、Ｈ形部材を設置する設置工程と、両側のフランジ部間に固化材を充填する充填工程とからなることを特徴とする連続壁体の構築方法。
【請求項１０】
前記固化材はコンクリート又はモルタルであり、前記充填工程は、フランジ部間を掘削する工程と、固化材を打設する工程とからなることを特徴とする請求鋼９記載の連続壁体の構築方法。
【請求項１１】
前記固化材はセメント又はソイルセメントであり、前記充填工程は、注入管を挿入する工程と、固化材を注入する工程とからなることを特徴とする請求項９記載の連続壁体の構築方法。
【請求項１２】
前記設置工程は、Ｈ形部材を打撃又は圧入によることを特徴とする請求鋼９〜１１のいずれか１項に記載の連続壁体の構築方法。
【発明の詳細な説明】
【技術分野】
【０００１】
本発明は、Ｈ形部材を矢板として用いた連続壁体とその構築方法に関する。
【背景技術】
【０００２】
土留めや基礎になる連続壁体が鋼矢板により構築され、その鋼矢板としては両端に嵌合部を設けたＵ形鋼矢板などが一般的に知られており、これ以外にも、例えば、ウェブとその幅方向の両端に設けたフランジと、各フランジの幅方向端部に固定した継手とからなる多数の鋼矢板を、相互に噛み合わせて打設して鋼製壁を構築するもの（例えば特許文献１）や、通常の圧延Ｈ形鋼のフランジの一方側縁部に嵌合継手の雌継手を、他方側縁部に雄継手を、それぞれフランジ外面より内方に位置させて溶接接合した鋼矢板（例えば特許文献２）や、通常の圧延Ｈ形鋼のフランジの両側縁部の端面の各々に、互いに嵌合可能な継手を溶接接合し、且つ前記継手の各々は嵌合の中心が前記フランジの面とほぼ同じ面に位置してなる鋼矢板（例えば特許文献３）や、高さ差がフランジ部で溶接接合できる範囲内にある、複数の通常の圧延Ｈ形鋼を、互いのフランジ側縁部を突き合せて溶接接合して両側にフランジが張り出した箱形に形成するとともに、前記フランジの溶接接合部を挟む両側縁部の一方に嵌合継手の雌継手を、他方に雄継手を、それぞれフランジ外面よりも内方に位置させて溶接接合した鋼矢板（例えば特許文献４）や、Ｈ形鋼の平行なフランジの対向する内面に、外方に突出したガイド板を長さ方向に設け、一方のＨ形形状杭のガイド板と、他のＨ形形状杭のフランジ内面とが相互に摺設するように複数のＨ形形状杭を連続して地盤に打設する工法（例えば特許文献５）などがある。
【０００３】
また、Ｈ形鋼を矢板として用い、Ｈ形鋼のフランジ部で形成される空間に固化材を充填する方法が提案されており、例えば、多数の雄継手付き鋼矢板と雌継手付き鋼矢板とを、雌継手部材内に雄継手部材を挿入した状態で建込み、隣り合う鋼矢板の間に挿入したトレミー管から経時硬化性材料を、隣り合う鋼矢板の間、雌継手部材内および鋼矢板と溝との間に同時に注入充填する地中連続壁施工方法（例えば特許文献６）や、各鋼殻と型枠もしくは埋め殺し型枠との間に、コンクリートを充填した構造壁体（例えば特許文献７）や、相互に噛み合わされた継手同士の隙間に、経時硬化性充填材を充填した鋼製エレメント（例えば特許文献８）や、Ｈ形鋼矢板などの鋼材を用いた鋼製矢板の継手部材の閉合部の内面に瀝青・ゴム系接着剤、アスファルトプライマー等の接着剤が塗布されていると共に、前記継手部材の閉合部内の空間が前記接着剤層を介して止水材としてのアスファルト混合物等の瀝青材料、粘土、モルタル、コンクリート、粘土モルタル、粘性系材料等の止水材で充填されている鋼矢板継手（例えば特許文献９）などがある。
【特許文献１】特開平６−２６４４６９２号公報
【特許文献２】特開平７−２７９１６２号公報
【特許文献３】特開平７−２７９１６３号公報
【特許文献４】特開平７−４８８３１号公報
【特許文献５】特開平４−２０３１１４号公報
【特許文献６】特開平５−２７２１３１号公報
【特許文献７】特開平６−２９９５４０号公報
【特許文献８】特開平６−３１６９２３号公報
【特許文献９】特開２００１−３４８８６２号公報
【発明の開示】
【発明が解決しようとする課題】
【０００４】
上記特許文献１の鋼矢板は、フランジの端部に継手を設けているため、通常の圧延Ｈ形鋼を用いたものと異なり、鋼矢板自体の材料費が高価になり、また、汎用品でないため、連続壁体を形成する以外に転用しにくい。さらに、構造上、剛性を高めるためには、鋼矢板自体の部材厚を大きくしたり、１ランク上の部材を適用したりする必要がある。また、連続壁体の曲線部分を施工するには、特殊な部材を必要とする。
【０００５】
また、継手間の寸法がフランジ幅で固定されるため、連続壁体の壁体平行方向寸法を設計などで求められた必要量確保しようとすると、過大に設定しなければならないため無駄が生じる。さらに、施工時にも、連続壁体の中間で閉合しようとすると、精度の高い施工管理が求められ、容易でない。
【０００６】
一方、特許文献２〜４の鋼矢板では、通常の圧延Ｈ形鋼を用いるから、材料費が安価となるが、フランジの端部から突出した嵌合継手により、接合する構造であるから、フランジ部分に比べて継手部分の強度が低下する問題がある。また、特許文献５でも隣接する鋼矢板はフランジより薄いガイド板により接合されているから、接合部分の強度がフランジ部分より低下する。これに対して，フランジと同じ厚さのガイド板を用いれば接合部分の強度は向上するが、製品コストが上昇する。
【０００７】
また、特許文献６〜９の壁体では、継手により連結されたＨ形鋼内に固化材を充填することで連続壁体の剛性を高めたり、止水性を高めたりしているが、上記文献１で述べた課題が解決されたわけではない。
【０００８】
そして、このようにＨ形鋼を用いた鋼矢板は、コスト面や構造上改良すべき課題があり、従来の一般的なＵ形鋼矢板が汎用的に使用されているが、Ｕ形鋼矢板には下記の問題がある。
【０００９】
土留壁などの仮設構造物に用いる場合、Ｈ形鋼に比べて、剛性が小さく、大深度の掘削などに伴い壁体にかかる土圧、水圧が大きくなって、支保工が多数段必要となり、支保工を架設する作業に時間を要すると共に、構造物の構築作業に手間がかかる。しかも、構造物の構築作業において、支保工が障害となって、鉄筋や型枠の設定ができず、支保工箇所で構造物の施工を分けて行わなければならず、構造上好ましくない場合が生じる。すなわち、切梁である支保工を避けた範囲毎に構造物の施工を進めていく必要があるため、構造物の躯体を支保工間隔毎に継ぎ足して構築することになり、躯体において継手箇所が必要となるため、構造耐力や耐震性能上で不利になる。また、構造物として例えば、橋脚などの施工では、渇水期内において工事を完了するという工期に制約があり、支保工間隔毎に分けて作業を繰り返す工法では施工性に劣り、工期的に難しい面がある。
【００１０】
そして、工期を短縮し、継手箇所を削減して構造物の耐震性能などを向上するには、支保工の鉛直方向間隔を広くするか、支保工を無くことが考えられるが、このためには剛性の高い土留壁が必要となり、従来構造の土留壁では費用が嵩み、経済性に劣る問題がある。
【００１１】
本発明は、このような問題点を解決しようとするもので、施工が容易で、安価にして構造上優れた剛性が得られる連続壁体とその構築方法を提供することを目的とする。
【課題を解決するための手段】
【００１２】
請求項１の発明は、Ｈ形部材を矢板として用いた連続壁体であって、隣接するＨ形部材のフランジ部同士を重ね合わせ、両側のフランジ部間に固化材を充填したものである。
【００１３】
また、請求項２の発明は、Ｈ形部材を矢板として用いた連続壁体であって、Ｈ形部材のフランジ部の延長線と隣接するＨ形部材のフランジ部とを重ね合わせ、両側のフランジ部及び略その延長線の間に固化材を充填したものである。
【００１４】
また、請求項３の発明は、前記Ｈ形部材には、隣接するＨ形部材同士を係合する継手部材を前記フランジ部に設けたものである。
【００１５】
また、請求項４の発明は、前記Ｈ形部材には、隣接するＨ形部材同士を係合する継手部材を前記フランジ部に設けたものである。
【００１６】
また、請求項５の発明は、前記固化材は、コンクリート又はモルタルである。
【００１７】
また、請求項６の発明は、前記固化材は、セメント又はソイルセメントである。
【００１８】
また、請求項７の発明は、前記フランジ部の内面に、固化材用剥離材を塗布したものである。
【００１９】
また、請求項８の発明は、前記固化材を充填した区間と充填しない区間とを有するものである。
【００２０】
また、請求項９の発明は、Ｈ形部材を矢板として用い、Ｈ形部材を矢板として用い、隣接するＨ形部材のフランジ部同士又はＨ形部材のフランジ部の延長線と隣接するＨ形部材のフランジ部とを重ね合わせた連続壁体の構築方法であって、Ｈ形部材を設置する設置工程と、両側のフランジ部間又は両側のフランジ部及び略その延長線の間に固化材を充填する充填工程とからなる構築方法である。
【００２１】
また、請求項１０の発明は、前記固化材はコンクリート又はモルタルであり、前記充填工程は、フランジ部間を掘削する工程と、固化材を打設する工程とからなる構築方法である。
【００２２】
また、請求項１１の発明は、前記固化材はセメント又はソイルセメントであり、前記充填工程は、注入管を挿入する工程と、固化材を注入する工程とからなる構築方法である。
【００２３】
また、請求項１２の発明は、前記設置工程は、Ｈ形部材を打撃又は圧入による構築方法である。
【発明の効果】
【００２４】
請求項１の構成によれば、フランジ部同士の重ね合わせ長さを変えることで、簡単に壁体の剛性を大きくしたり小さくしたりできる。また、両側のフランジ部挿入長を変えることで、曲線形状壁体を簡単に作成できる。そして、隣接するＨ形部材のフランジ部同士を重ね合わせた場合、壁体の剛性が高まる。これにより、従来に比べて壁体に用いる支保工部材が少なくて済み、支保工なしの自立式の土留壁を作りやすい。
【００２５】
このようなＨ形部材を組合わせた構造において、フランジ部間に固化材を充填するから、壁体全体の剛性をさらに高めることができ、高い側圧が作用する大深度での土留壁などに適用可能となる。また、固化材にセメント系を用いれば、その固化材は圧縮材であり、上載荷重に耐える基礎構造となる。さらに、内部に固化材を充填するから、壁体全体の止水性が向上する。また、充填した固化材により、Ｈ形部材相互の位置が壁体直角方向及び壁体平行方向ともに固定され、地震時における安定性が確保される。
【００２６】
また、隣接するＨ形部材のフランジ部同士を重ね合わせ、固化材を充填することにより、壁厚を小さくでき、Ｈ形部材を用いた連続壁体構築のための掘削土量、コンクリート量などが小さくなる。さらに、必要な用地面積が小さくて済む。
【００２７】
また、請求項２の構成によれば、フランジ部同士の離間を変えてＨ形部材を配置することで、フランジ部同士の重ね合わせへの移行が容易にできる。また、簡単に壁面体の剛性を大きくしたり小さくしたりできる。また、両側のフランジ部同士の離間長を変えることで、曲線形状壁体を簡単に作成できる。
【００２８】
このようなＨ形部材を組合わせた構造において、フランジ部及び略その延長線の間に固化材を充填するから、壁体全体の剛性をさらに高めることができ、高い側圧が作用する大深度での土留壁などに適用可能となる。また、固化材にセメント系を用いれば、その固化材は圧縮材であり、上載荷重に耐える基礎構造となる。さらに、内部に固化材を充填するから、壁体全体の止水性が向上する。また、充填した固化材により、Ｈ形部材相互の位置が壁体直角方向及び壁体平行方向ともに固定され、地震時等における安定性が確保される。
【００２９】
また、請求項３の構成によれば、係合する継手部材を用いたため、施工時のガイドとなるほか、取り付け位置が確定する。さらに、固化材の充填範囲がフランジ部及び継手部材の間で制限されて確実なものとなる。
【００３０】
また、請求項４の構成によれば、係合する継手部材を用いたため、施工時のガイドとなるほか、取り付け位置が確定する。さらに、固化材の充填範囲がフランジ部及び継手部材の間で制限されて確実なものとなる。
【００３１】
また、請求項５の構成によれば、固化材にコンクリートまたはモルタルを用いることにより、剛性がより確実に高まり、合成部材としての利用範囲が広がる。また、止水性能に優れたものとなる。
【００３２】
また、請求項６の構成によれば、固化材にセメントまたはソイルセメントを用いることにより、止水性能と剛性が確保される。また、固化材を削孔して注入する方法を用いれば、任意の箇所に合成構造を作ることができる。
【００３３】
また、請求項７の構成によれば、Ｈ形部材が固化材から剥離できるから、Ｈ形部材の引き抜きが容易となり、転用が可能となる。
【００３４】
また、請求項８の構成によれば、高い剛性や止水が必要な箇所のみ固化材を充填するため、設計選択の範囲が広がる。また、壁体の長さ方向で必要な区画で固化材を充填することにより、部分的に高い剛性や止水を確保でき、より安価な壁体を追及できる。
【００３５】
また、請求項９の構成によれば、剛性及び止水性の高い連続壁体を構築でき、この際、Ｈ形部材の設置工程と固化材の充填工程とが分離しているため、任意形状の壁体を容易に構築できる。固化材として、形状追随が可能な流動体（粉状体、液状体など）を用いて、フランジ部間に固化材を充填するため、固化材の材料にムダが生じない。
【００３６】
また、請求項１０の構成によれば、Ｈ形部材のフランジ部間にある土を排出する掘削工程があるため、コンクリート、モルタルの充填が確実となる。また、掘削をフランジ部間で行うから、外部の地山を傷めることがない。
【００３７】
また、請求項１１の構成によれば、削孔して注入管を挿入するため、Ｈ形部材のフランジ部間に土があっても、任意の箇所にセメントなどを注入し、セメントまたはソイルセメントの固化材を単独で固化させたり、土などとの結合構造を得たりできる。また、Ｈ形部材のフランジ部間で固化材の注入を行うため、外部への漏れが少なく、外部の地山を傷めることがない。
【００３８】
また、請求項１２の構成によれば、Ｈ形部材を打撃または圧入で設置するため、溝を形成して建て込む方法に比べて、施工機械が汎用的で簡便なもので対応できる。また、地山を傷めず、地山を安定液で押さえる必要もなく、安価な方法となる。
【発明を実施するための最良の形態】
【００３９】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な連続壁体とその構築方法柵を採用することにより、従来にない連続壁体とその構築方法が得られ、その連続壁体とその構築方法を夫々記述する。
【実施例１】
【００４０】
以下、本発明の実施例を添付図面を参照して説明する。図１〜図３は本発明の実施例１を示し、連続壁体１は、鉛直壁として、土留壁，擁壁，護岸壁，基礎，桟橋，遮水壁などに用いられたり、水平壁として、防護ルーフやカルバート（ボックスカルバートなど）に用いられ、また、橋梁などの桁として用いてもよい。
【００４１】
図２は連続壁体１を、橋脚101の基礎に用いた例である。連続壁体１を形成するＨ形部材２には好ましくは通常の圧延Ｈ形鋼材が用いられ、ウエブ部３の両側にフランジ部４，４を有する。また、壁体平行方向に隣接するＨ形部材２，２は、同一形状であり、図１に示すように、隣接する複数のＨ形部材２，２のフランジ部４，４の内面と外面とを重ね合わせた重ね合わせ部５を形成して連続壁体１を構築している。すなわち隣接するＨ形部材２，２のフランジ部４，４を、同一平面とは異なるフランジ部４，４の厚さ方向（壁体直角方向）にずらし、且つ重ね合わせている。
【００４２】
前記両側のフランジ部４，４間の空間Ｓには固化材６が充填される。この固化材６には、経時固化性の流動体材料を用いることができ、第１の好適な例として、セメント系固化材料であるコンクリート、モルタルが上げられ、第２の好適な例として、セメント系結合材料であるセメント、ソイルセメントが上げられる。第２の好適な例では、フランジ部４，４間の土砂などの地盤材中に、セメント、セメントミルクまたはセメントペーストを充填注入して地盤材を固化することができる。また、固化材としては、空間Ｓの土砂などを空気等で排除して、セメント単独又はソイルセメントと置き換えたものでもよい。
【００４３】
このように固化材６をフランジ部４，４間に充填することにより、連続壁体１の止水性が向上する。また、連続壁体１はＨ形部材２と固化材６との合成構造となり、Ｈ形鋼からなるＨ形部材２を用いれば引張応力が向上し、固化材６にコンクリートなどを用いれば、コンクリートにより圧縮応力が向上する。また、その合成構造により、水平荷重に対するせん断応力及び曲げ応力への耐力が増し、鉛直荷重に対する圧縮応力への耐力が増す。
【００４４】
さらに、充填した固化材６によりＨ形部材２，２同士のずれが防止され、Ｈ形部材２，２が壁体直角方向及び壁体平行方向に固定され、地震時等での作用荷重に対して強固な構造が得られ、また、継手部材を設ける場合でもその継手部材を強固にする必要がなくなり、特に連続壁体１の腹起し、切梁などの支保工に接しないＨ形部材２の壁体直角方向のずれ防止が可能となる。
【００４５】
連続壁体１において、固化材６を充填する区間は、壁体１の全体に充填する以外にも、壁体１の下部に固化材６を充填すれば、土圧、水圧が高い土留壁の下部での抵抗を増すことができる。壁体１の端部に固化材６を充填すれば、梁のせん断力に対して補強することができる。また、推進用立抗での発進、到達坑口では壁体１に固化材６を充填し、シールド機の発進、到達時の鏡切りで漏れを防止できる。尚、漏水の場合は、壁体１の構築後、漏水が発生した箇所に対応して固化材６を充填するようにすればよい。
【００４６】
また、固化材６が充填し易いように、Ｈ形部材２のウエブ部３に穴をあけて対応するとよい。
【００４７】
また、土留壁の使用後に、Ｈ形部材２を引抜き、転用可能とするため、固化材６と接する面に剥離材を塗布する。すなわちＨ形部材２のウエブ部３の両面とフランジ部４，４の内面に剥離材７を塗布する。この剥離材７は、瀝青材（アスファルト），プライマー，プラスチック材，ゴム材やコンクリート剥離材などが用いられ、Ｈ形部材２自体の外面より固化材６との剥離性を向上するものであれば各種のものが用いられ、塗布方法には、刷毛による塗布や吹き付けによる塗布などが用いられる。
【００４８】
次に、前記連続壁体１の施工手順について説明する。設置工程において、地盤ＧにＨ形部材２を打撃を加えて打ち込んだり、圧入したりして所定の深さまで挿入し、あるいは、連続壁体１の構築箇所に溝を掘削形成し、Ｈ形部材２を立て込む。前記溝は、連続地中壁掘削機により連続掘削溝や、ドリル式のオーガー掘削機の円孔により形成され、掘削の際、溝の安定のためは泥水などの安定液を用いることで、溝の安定を保つ。
【００４９】
充填工程において、固化材６にコンクリートやセメントを用いる場合は、Ｈ形部材２を打ち込んだり圧入したりして所定の深さまで挿入した後、フランジ部４，４間の土砂を掘削し、内部にコンクリートやモルタルなど固化材６を打設する。また、固化材６にセメント、ソイルセメントを用いる場合は、Ｈ形部材２を打ち込んだり圧入したりして所定の深さまで挿入した後、図１に示すように、フランジ部４，４間に注入管９を挿入可能な掘削孔８を形成し、この掘削孔８に注入管９を挿入し、この注入管９の下端側からセメントを噴射注入し、これによりセメントをフランジ部４，４の間の地盤材に浸透注入して固化する。あるいは、連続地中壁掘削機を用いる場合は、溝を掘削しながらその溝にＨ形部材２を挿入し、フランジ部４，４の間に固化材６を充填する。
【００５０】
また、Ｈ形部材２の設置方法として、上述した打撃や圧入による方法では、地盤Ｇを傷めず、余分な掘削が不要となる。この際の施工機械としては、パイルハンマー、パイラーなど比較的汎用性の高い機械を用いることができる。一方、溝を掘削した後にＨ形部材２を建て込む方法では、上述したように溝掘削機による連続掘削面を形成してＨ形部材２を建て込む方法と、オーガー掘削による円孔を形成してＨ形部材２を建て込む方法などが用いられる。
【００５１】
また、Ｈ形部材２のフランジ部４，４間の掘削方法として、地上よりフランジ部４，４の全断面を掘削する場合、ウオータージェット、エアージェットなどのジェットによる掘削、グラブバケットによる掘削、オーガー掘削機による掘削などが用いられる。
【００５２】
また、固化材６としてセメントを注入する方法では、セメント、セメントミルク、セメントペーストとして注入することができる。なお、固化材６には、樹脂系固化材料を用いてもよい。
【００５３】
固化材６を注入する方法としては、ボーリングにより上述したように掘削孔８を形成し、掘削孔８に注入管９を挿入し、この注入管９から地盤材に固化材６であるセメントミルクを浸透注入する浸透注入工法以外でも、注入管９から、セメントを空気や水を高圧で噴射し、これらの空気や水のリフトアップ力で排土しながら、セメントと置き換える高圧噴射注入工法や、注入管９に攪拌翼（図示せず）を設けると共に注入管９を回転する回転手段を設け、固化材６を注入しながら回転手段により注入管９を回転して攪拌翼で地盤材と固化材６とを攪拌し、ソイルセメントを形成する混合攪拌工法を用いることができる。
。
【００５４】
そして、フランジ部４，４間は、壁体１の壁体平行方向に対して、ウエブ部３により分割されているから、必要箇所を選択的に改良することが可能となり、漏水した箇所や発進、到達坑口箇所に固化材６を充填するようにすればよく、その施工も、注入管９を用いて、固化材６を単に注入するだけで簡便に済む。
【００５５】
また、図３に示すように、連続壁体１を平面的に湾曲形成する場合には、湾曲方向の内側の重ね合わせ部５を曲率の外側の重ね合わせ部５より大きくすればよい。
【００５６】
このように本実施例では、請求項１に対応して、Ｈ形部材２を矢板として用いた連続壁体１であって、隣接するＨ形部材２，２のフランジ部４，４同士を重ね合わせ、両側のフランジ部４，４間に固化材６を充填したから、フランジ部４，４同士の重ね合わせ長さを変えることで、簡単に壁体１の剛性を大きくしたり小さくしたりできる。また、両側のフランジ部４，４の挿入長を変えることで、曲線形状壁体１を簡単に作成できる。そして、隣接するＨ形部材２，２のフランジ部４，４同士を重ね合わせた場合、壁体１の剛性が高まり、これにより、従来に比べて壁体１に用いる支保工部材が少なくて済み、支保工なしの自立式の土留壁を作り易くなる。
【００５７】
このようなＨ形部材２，２を組合わせた構造において、フランジ部４，４間に固化材６を充填するから、壁体１全体の剛性をさらに高めることができ、高い側圧が作用する大深度での土留壁などに適用可能となる。また、固化材６にセメント系を用いれば、その固化材６は圧縮材であり、上載荷重に耐える基礎構造となる。さらに、内部に固化材６を充填するから、壁体１全体の止水性が向上する。また、充填した固化材６により、Ｈ形部材２，２相互の位置が壁体直角方向及び壁体平行方向ともに固定され、地震時における安定性が確保される。また、隣接するＨ形部材２，２のフランジ部４，４同士を重ね合わせ、固化材６を充填することにより、壁厚を小さくでき、Ｈ形部材２，２Ａを用いた連続壁体１構築のための掘削土量、コンクリート量などが小さくなり、さらに、必要な用地面積が小さくて済む。
【００５８】
また、このように本実施例では、請求項５に対応して、固化材６は、コンクリート又はモルタルであるから、剛性がより確実に高まり、合成部材としての利用範囲が広がる。また、止水性能に優れたものとなる。
【００５９】
また、このように本実施例では、請求項６に対応して、固化材６は、セメント又はソイルセメントであるから、止水性能と剛性が確保され、また、固化材６を削孔して注入する方法を用いれば、任意の箇所に合成構造を作ることができる。
【００６０】
また、このように本実施例では、請求項７に対応して、フランジ部４，４の内面に、固化材用剥離材７を塗布することにより、Ｈ形部材が固化材から剥離できるから、Ｈ形部材２の引き抜きが容易となり、転用が可能となる。
【００６１】
また、このように本実施例では、請求項８に対応して、固化材６を充填した区間と充填しない区間とを有するから、高い剛性や止水が必要な箇所のみ固化材６を充填するため、設計選択の範囲が広がる。また、壁体１の壁体平行方向又はＨ形部材長さ方向で必要な区画で固化材を充填することにより、部分的に高い剛性や止水を確保でき、より安価な壁体１を追及できる。
【００６２】
また、このように本実施例では、請求項９に対応して、Ｈ形部材２を矢板として用い、隣接するＨ形部材２，２のフランジ部４，４同士を重ね合わせた連続壁体１の構築方法であって、Ｈ形部材２を設置する設置工程と、両側のフランジ部間に固化材を充填する充填工程とからなるから、剛性及び止水性の高い連続壁体１を構築でき、この際、Ｈ形部材２の設置工程と固化材６の充填工程とが分離しているため、任意形状の壁体１を容易に構築できる。固化材６として、形状追随が可能な流動体を用いて、フランジ部４，４間に固化材を充填するため、固化材６の材料にムダが生じない。
【００６３】
また、このように本実施例では、請求項１０に対応して、固化材６はコンクリート又はモルタルであり、充填工程は、フランジ部４，４間を掘削する工程と、固化材６を打設する工程とからなるから、Ｈ形部材２のフランジ部４，４間にある土を排出する掘削工程があるため、コンクリート、モルタルの充填が確実となる。また、掘削をフランジ部４，４間で行うから、外部の地山を傷めることがない。
【００６４】
また、このように本実施例では、請求項１１に対応して、固化材６はセメント又はソイルセメントであり、充填工程は、注入管９を挿入する工程と、固化材６を注入する工程とからなるから、Ｈ形部材２，２のフランジ部４，４間に土があっても、任意の箇所にセメントなどを注入し、セメントまたはソイルセメントの固化材６を単独で固化させたり、土などとの結合構造を得たりできる。また、Ｈ形部材２のフランジ部４，４間で固化材６の注入を行うため、外部への漏れが少なく、外部の地山を傷めることがない。
【００６５】
また、このように本実施例では、請求項１２に対応して、設置工程は、Ｈ形部材２を打撃又は圧入によるから、溝を形成して建て込む方法に比べて、施工機械が汎用的で簡便なもので対応でき、また、地山を傷めず、地山を安定液で押さえる必要もなく、安価な方法となる。
【００６６】
また、実施例上の効果として、Ｈ形部材２，２Ａは、圧延Ｈ形鋼であるから、材料入手が安価で容易になる。また、汎用性のある圧延Ｈ形鋼は引き抜いた場合、壁体以外に支保材、桁材に転用可能である。
【００６７】
なお、連続壁体の構築方法において、本実施例は、Ｈ形部材のフランジ部同士を重ね合わせた場合を記載したが、Ｈ形部材のフランジ部の延長線と、隣接するＨ形部材のフランジ部とを重ね合わせた場合も、同様な構築方法で対応できる。
【実施例２】
【００６８】
図４〜図５は本発明の実施例２を示し、上記実施例１と同一部分に同一符号を付し、その詳細な説明を省略して詳述すると、この例は、連続壁体１を土留壁に適用したものであり、同図に示すように、橋脚や建築物などの構造物の基礎を地中に構築する際、その基礎を構築する構築箇所Ｋの周囲に土留壁として、連続壁体１，１，１，１を構築し、対向する連続壁体１，１の内面にＨ形鋼などからなる腹起し11を配置し、これら腹起し11を介して連続壁体１，１間に、切梁たる支保工12を配置している。また、図５のハッチングに示すように、連続壁体１には、土圧及び水圧の高い下部側に固化材６を充填している。尚、この例の連続壁体１は、基礎を構築した後、構築箇所Ｋを埋め戻せば、撤去可能な仮設構造物であるから、Ｈ形部材２を引き抜いて再利用することができる。
【００６９】
このような土留壁となる連続壁体１では、重ね合わせ部５の構造とフランジ部４，４間に充填した固化材６とにより剛性が向上し、土留壁を自立させたり支保工12の間隔を大きくしたりすることができ、構築箇所Ｋに設ける構造物の鉄筋継手やコンクリート継手が不要又は少なくできるため、構造物の品質を高めることができ、且つ施工性を向上することができる。
【００７０】
そして、本実施例では、隣接するＨ形部材２，２のフランジ部４，４同士を重ね合わせ、空間Ｓに固化材６を充填することにより、壁体１の剛性が高まり、これにより、従来に比べて壁体１に用いる支保工部材が少なくて済み、支保工なしの自立式の土留壁を作り易くなり、この土留壁を用いることにより、構造物の工期を短縮し、継手箇所を削減して構造物の耐震性能を向上することができ、信頼性の高い構造物を構築できる。
【実施例３】
【００７１】
図６は本発明の実施例３を示し、上記各実施例と同一部分に同一符号を付し、その詳細な説明を省略して詳述すると、この例は、連続壁体１によりボックスカルバート15を構築した例であり、ボックスカルバート15は、ほぼ水平方向の連続壁体１からなる頂版部15Ａと底版部15Ｂと側壁部15Ｃ，15Ｃとを備え、連続壁体１のフランジ部４，４間の空間Ｓにコンクリートなどの固化材６を充填してなる。
【００７２】
そして、この例においても、隣接するＨ形部材２，２のフランジ部４，４同士を重ね合わせ、空間Ｓに固化材６を充填することにより、剛性及び止水性に優れたボックスカルバート15を構築することができる。
【実施例４】
【００７３】
図７〜図１２は本発明の実施例４を示し、上記各実施例と同一部分に同一符号を付し、その詳細な説明を省略して詳述すると、図８は連続壁体１を土留壁に用いた例、図９は遮水壁に用いた例を示し、土圧や地下水圧などの水平荷重に抵抗するものである。前記連続壁体１には矢板として大きさの異なるＨ形部材２，２Ａを用いる。これらＨ形部材２，２Ａには好ましくは通常の圧延Ｈ形鋼材が用いられ、ウエブ部３，３Ａの両側にフランジ部４，４，４Ａ，４Ａを有し、大型のＨ形部材２のフランジ部４，４の内面間に小型のＨ形部材２Ａのフランジ部４Ａ，４Ａの外面が入る大きさのものを組合わせて用い、連続壁体１において、隣接する大型のＨ形部材２のフランジ部４，４の内面間に小型のＨ形部材２Ａのフランジ部４Ａ，４Ａ外面を挿入されたフランジ部の重ね合わせ部５を形成するようにする。このように、大型のＨ形部材２のフランジ部４，４と小型のＨ形部材２Ａのフランジ部４Ａ，４Ａとを、同一平面とは異なるフランジ部４，４Ａの厚さ方向（壁体直角方向）にずらし、且つ重ね合わせており、重ね合わせ部５を形成することにより、連続壁体１への壁体直角方向の力に対して隣接するＨ形部材２，２Ａが拘束される。さらに、隣接するＨ形部材２，２Ａのフランジ部４，４，４Ａ，４Ａ間の空間Ｓに固化材６を充填することにより、壁体１全体の剛性をさらに高めることができる。そして、図８の土留壁である連続壁体１には、土圧の高い下部側に固化材６を充填し、図９の止水壁である連続壁体１は、地下水位Ｈより高い位置まで固化材６を充填し、同図では連続壁体１の全高さに固化材６を充填している。
【００７４】
施工においては、地盤ＧにＨ形部材２，２Ａを打撃を加えて打ち込んだり、圧入したりして所定の深さまで挿入し、あるいは、連続壁体１の構築箇所に溝を掘削形成し、Ｈ形部材２，２Ａを立て込む。前記溝は、連続地中壁掘削機により連続掘削溝や、ドリル式のオーガー掘削機の円孔により形成され、掘削の際、溝の安定のためは泥水などの安定液を用いることができる。
【００７５】
Ｈ形部材２，２Ａは圧延Ｈ形鋼を用いるものとするが、ウエブ部３，３Ａとフランジ部４，４，４Ａ，４Ａを備えるものであれば、圧延Ｈ形鋼以外にも、圧延Ｉ形鋼でもよく、また、鋼材以外にプラスチックなどからなるものを用いてもよい。また、図１０に示すように、Ｈ形部材２，２Ａを複数用いて一体化してもよく、同図においてはフランジ部４，４，４Ａ，４Ａを溶着一体化しており、あるいは、図１１に示すように、ウエブ部３を複数設けた形状のものでもよい。
【００７６】
このようにＨ形部材２，２Ａを用いた連続壁体１においては、フランジ部４，４Ａの重ね合わせ部５により壁体１の剛性が向上し、さらに、図１２に示すように、両側からＨ形部材２，２Ａを設置した場合に、最後の合わせ部分の寸法が他の部分と異なる場合でも、重ね合わせ部５の寸法を調整することにより、容易に対応でき、図１２では、最後の合わせ部分のＨ形部材２，２の間隔が他に比べて狭くなったから、間に挿入するＨ形部材２Ａとの重ね合わせ部５を大きくすることにより対応できる。したがって、従来のＵ形やＨ形の矢板で土留壁を形成する場合には、矢板の継手間寸法が一定であるから、最後の合わせ部分で寸法調整を行うことができず、精度を高めて打設位置を設定する必要があり、無理に最後の矢板を打設すると、矢板に亀裂が生じたり、場合によっては、複数の矢板を引き抜いて再度打設する必要があったが、本実施例ではフランジ部２，２Ａの重ね合わせ部５の寸法により最後の合わせ部分の寸法調整を簡便に行うことができる。また、継手間が一定寸法の矢板を用いる場合、矢板の寸法に合わせて寸法などを設計することになり、例えば、設計上は矢板の２分の１の寸法で済む箇所も、矢板１本を用いることになり、設計上、過剰な部分が発生し、これが掘削，埋め戻しの土量や底版コンクリートの量にも影響するため、無駄な部分が発生する。これに対して、本実施例では、設計寸法に対応した連続壁体１を構築できるから、上述したような無駄を省くことができる。
【実施例５】
【００７７】
図１３〜図１４は本発明の実施例５を示し、上記各実施例と同一部分に同一符号を付し、その詳細な説明を省略して詳述すると、この例では、実施例２で示した連続壁体１は、前記連続壁体１には矢板として大きさの異なるＨ形部材２，２Ａを用いている。そして、図１４に示すように、連続壁体１，１が交差するコーナ部では、一方の連続壁体１のＨ形部材２には、一方のフランジ部４の両端部に、継手部材たる溝形鋼13を溶着などにより設け、他方の連続壁体１のＨ形部材２Ａには、フランジ部４Ａ，４Ａの端部に、前記溝形鋼13内に嵌入する継手部材たる鉄板14を溶着などにより設けている。尚、前記鉄板14には平鋼が用いられる。
【００７８】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られる。
【実施例６】
【００７９】
図１５は本発明の実施例４を示し、上記各実施例と同一部分に同一符号を付し、その詳細な説明を省略して詳述すると、この例の連続壁体１を地下道などのボックスカルバートを構築する際に用いる防護ルーフに適用したものであり、構築箇所Ｋの両側部と上部とに連続壁体１を構築し、この連続壁体１の空間Ｓには固化材６を充填し、構築箇所Ｋを掘削すると共に、連続壁体を支持する支保工21を設け、掘削箇所Ｋ内にボックスカルバート22を構築して埋め戻す。この場合、ボックスカルバート22を埋め戻した後、Ｈ形部材２，２Ａを引き抜いて再利用してもよく、Ｈ形部材２には、固化材６と接する面に剥離材７を塗布しておく。
【実施例７】
【００８０】
図１６は本発明の実施例７を示し、上記各実施例と同一部分に同一符号を付し、その詳細な説明を省略して詳述すると、この例は、連続壁体１を山岳トンネル23などの防護ルーフに適用したものであり、トンネル23の上部を覆うように湾曲状に連続壁体１が形成され、空間Ｓに固化材６が充填されている。
【実施例８】
【００８１】
図１７〜図１８は本発明の実施例８を示し、上記各実施例と同一部分に同一符号を付し、その詳細な説明を省略して詳述すると、この例は隣接するＨ形部材同士を係合する継手部材を示し、大型のＨ形部材２のフランジ部４の端部側内面に、継手部材たる２つの山形鋼31，31を並べて取付け、両山形鋼31，31間に内面嵌合部たる山形凹部32を形成し、この山形凹部32にＨ形部材長さ方向から嵌入する外面嵌合部たる山形凸部33を、小型のＨ形部材２Ａのフランジ部４Ａの端部側外面に設け、前記山形凸部33は、継手部材たる山形鋼31をフランジ部４Ａの端部側外面に取付けて構成される。それら山形鋼31はフランジ部４，４Ａの端部から突出しない。尚、Ｈ形部材２，２ＡがＨ形鋼の場合、山形鋼などの圧延鋼材は溶着により設けられる。
【００８２】
したがって、隣接するＨ形部材２，２Ａを構築する際、山形凹部32と山形凸部33との嵌合がガイドとなってＨ形部材２，２Ａを正しく挿入することができ、さらに、重ね合わせ部５における山形凹部32と山形凸部33との嵌合により、隣接するＨ形部材２，２Ａは連続壁体１の壁体平行方向にも規制され、さらに、フランジ部４，４，４Ａ，４Ａ間の空間Ｓに固化材６を充填することにより、剛性の高い連続壁体１が得られる。
【００８３】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られ、また、継手部材を強固にする必要がなくなる、
また、実施例上の効果として、Ｈ形部材２，２Ａには、隣接するＨ形部材２，２Ａ同士を係合する継手部材たる山形鋼31をフランジ部４，４Ａに設けたから、継手部材が嵌合し、施工時のガイドとなるほか、取り付け位置が確定し、また、止水性の向上が図られる。また、継手部材に、Ｌ形鋼である山形鋼31，溝形鋼，丸鋼，平鋼などの圧延鋼材を用いたから、材料入手が安価で容易になる。また、それら圧延鋼材は市販材料であるのため、継手構造を作るために材料への加工がほとんどいらない。そして、フランジ部２の内面に継手部材たる山形鋼31を設けた場合は、山形鋼31を撤去することなく壁体１以外への材料転用が容易になる。また、Ｈ形部材２のフランジ部４の内面に、継手部材たる山形鋼31を設け、外面側には設けなかったから、連続壁体１が仮設構造物の場合、Ｈ形部材２，２Ａを引き抜いて、支保工や桁材などへの転用が容易となる。また、この例では、重ね合わせ部５において、嵌合部たる山形凹部32と山形凸部33との嵌合により、隣接するＨ形部材２，２Ａは、連続壁体１の壁体平行方向にも規制される。
【実施例９】
【００８４】
図１９は本発明の実施例９を示し、上記各実施例と同一部分に同一符号を付し、上記実施例と同一部分に同一符号を付し、その詳細な説明を省略して詳述すると、この例は隣接するＨ形部材同士を係合する継手部材を示し、大型のＨ形部材２のフランジ部４の端部側内面に、継手部材たる２つの丸鋼35，35を並べて取付け、両丸鋼35，35間に内面嵌合部たる凹部36を形成し、この凹部36にＨ形部材長さ方向から嵌入する外面嵌合部たる凸部37を、小型のＨ形部材２Ａのフランジ部４Ａの端部側外面に設け、前記凸部33は、継手部材たる丸鋼35をフランジ部４Ａの端部側外面に取付けて構成される。そして、フランジ部４，４，４Ａ，４Ａ間の空間Ｓに固化材６を充填する。
【００８５】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られ、また、継手部材を強固にする必要がなくなる。
【実施例１０】
【００８６】
図２０は本発明の実施例１０を示し、上記各実施例と同一部分に同一符号を付し、上記実施例と同一部分に同一符号を付し、その詳細な説明を省略して詳述すると、この例は隣接するＨ形部材同士を係合する継手部材を示し、大型のＨ形部材２のフランジ部４の端部側内面に、内面係合部たる山形鋼41の一片側の端部を取付け、この山形鋼41の他片41Ａ側はフランジ部４内面とほぼ平行で、先端がフランジ部４の壁体平行方向外側に向き、外面係合部たる山形鋼42の一片側の端部を、小型のＨ形部材２Ａのフランジ部４Ａの端部側外面に取付け、この山形鋼42の他片42Ａ側はフランジ部４Ａ外面とほぼ平行で、先端がフランジ部４の壁体平行方向外側に向き、継手部材たる両山形鋼41，42が係合してフランジ部４，４Ａの位置決めがなされる。尚、山形鋼41，42は同一形状である。そして、フランジ部４，４，４Ａ，４Ａ間の空間Ｓに固化材６を充填する。
【００８７】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られ、また、継手部材を強固にする必要がなくなり、壁体平行方向のずれ防止が可能となる。
【００８８】
また、この例では、係合部たる山形鋼41，42の係合により、隣接するフランジ部４，４Ａの壁体直角方向の位置が規制され、また、山形鋼41，42が当接することにより、隣接するＨ型部材２，２Ａの間隔を調整することができ、すなわち、山形鋼41，42が当接する位置で重ね合わせ部５の寸法が最大となる。
【実施例１１】
【００８９】
図２１は本発明の実施例１１を示し、上記各実施例と同一部分に同一符号を付し、上記実施例と同一部分に同一符号を付し、その詳細な説明を省略して詳述すると、この例は隣接するＨ形部材同士を係合する継手部材を示し、大型のＨ形部材２のフランジ部４の端部側内面に、内面嵌合部たる山形鋼41の一片側の端部を取付け、この山形鋼41の他片41Ａ側はフランジ部４と所定角度をなして間隔を持って配置され、先端がフランジ部４の壁体平行方向外側外面に向き、外面嵌合部たる山形鋼41の一片側の端部を、小型のＨ形部材２Ａのフランジ部４Ａの端部側外面に取付け、この山形鋼42の他片42Ａ側はフランジ部４Ａと所定角度をなして間隔を持って配置され、先端がフランジ部４の壁体平行方向外側に向き、嵌合部たる両山形鋼41，42の他片41Ａ，42Ａがフランジ部４，４Ａの壁体平行方向の離脱を規制するように噛み合って嵌合する。尚、山形鋼41，42は同一形状である。そして、フランジ部４，４，４Ａ，４Ａ間の空間Ｓに固化材６を充填する。
【００９０】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られ、また、継手部材を強固にする必要がなくなり、壁体平行方向のずれ防止が可能となる。
【実施例１２】
【００９１】
図２２〜図２３は本発明の実施例１２を示し、上記各実施例と同一部分に同一符号を付し、上記実施例と同一部分に同一符号を付し、その詳細な説明を省略して詳述すると、この例は隣接する大きさの異なるＨ形部材同士を係合する継手部材を示し、大型のＨ形部材２のフランジ部４の端部側内面に、内面係合部たる山形鋼41の一片側の外面を取付け、この山形鋼41の他片41Ａ側がフランジ部４の壁体平行方向外側で、該フランジ部４と直交する。一方、小型のＨ形部材２Ａのフランジ部４Ａには他の部材を取り付けるなどの加工は施されておらず、そのフランジ部４Ａが前記フランジ部４の内面に係入し、フランジ部４Ａの端部が前記山形鋼41の他片41Ａ外面に当たる位置で位置決めされている。そして、フランジ部４，４，４Ａ，４Ａ間の空間Ｓに固化材６を充填する。
【００９２】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られ、また、継手部材を強固にする必要がなくなり、壁体平行方向のずれ防止が可能となる。
【実施例１３】
【００９３】
図２４〜図２５は本発明の実施例１３を示し、上記各実施例と同一部分に同一符号を付し、上記実施例と同一部分に同一符号を付し、その詳細な説明を省略して詳述すると、この例は隣接するＨ形部材同士を係合する継手部材を示し、大型のＨ形部材２のフランジ部４の端部側内面に、山形鋼41の一片側の外面を取付け、この山形鋼41の他片41Ａ側がフランジ部４の壁体平行方向外側で、該フランジ部４と直交する。また、前記山形鋼41よりフランジ部４の端部側に、内面係合部たる山形鋼43の一片側の外面を取付け、この山形鋼43の他片43Ａ側が前記他片41Ａと重なり合っている。一方、小型のＨ形部材２Ａのフランジ部４Ａには他の部材を取り付けるなどの加工は施されておらず、そのフランジ部４Ａが前記フランジ部４の内面に係入し、フランジ部４Ａの端部が前記山形鋼43の他片43Ａ内面に当たる位置で位置決めれている。そして、フランジ部４，４，４Ａ，４Ａ間の空間Ｓに固化材６を充填する。
【００９４】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られ、また、継手部材を強固にする必要がなくなり、壁体平行方向のずれ防止が可能となる。
【実施例１４】
【００９５】
図２６〜図２７は本発明の実施例１４を示し、上記各実施例と同一部分に同一符号を付し、上記実施例と同一部分に同一符号を付し、その詳細な説明を省略して詳述すると、この例は隣接するＨ形部材同士を係合する継手部材を示し、大型のＨ形部材２のフランジ部４の端部側内面に、山形鋼41の一片側の外面を取付け、この山形鋼41の他片41Ａ側がフランジ部４の壁体平行方向外側で、該フランジ部４と直交する。また、前記山形鋼41よりフランジ部４の端部側に、内面嵌合部たる山形鋼44の一片側の端部を取付けると共に、この一片側が前記他片41Ａと重なり合い、該山形鋼44の他片44Ａが前記フランジ部４と間隔を置いてほぼ平行に配置されている。一方、小型のＨ形部材２Ａのフランジ部４Ａには他の部材を取り付けるなどの加工は施されておらず、そのフランジ部４Ａが前記山形鋼44内に嵌合する。また、フランジ部４の端部内面と山形鋼44との間に、フランジ部４Ａの端部を嵌入する。そして、フランジ部４，４，４Ａ，４Ａ間の空間Ｓに固化材６を充填する。
【００９６】
そして、本実施例では、隣接するＨ形部材２，２Ａのフランジ部４，４Ａ同士を重ね合わせ、空間Ｓに固化材６を充填することにより、剛性及び止水性に優れた連続壁体１が得られ、また、継手部材を強固にする必要がなくなり、壁体平行方向のずれ防止が可能となる。
【実施例１５】
【００９７】
図２８は本発明の実施例１５を示し、上記各実施例と同一部分に同一符号を付し、上記実施例と同一部分に同一符号を付し、その詳細な説明を省略して詳述すると、この例は隣接する同一形状のＨ形部材同士を係合する継手部材を示し、隣接する一方のＨ形部材２の１つのフランジ部４（図中上側のフランジ部）の端部側内面に、内面係合部たる山形鋼41の一片側の外面を取付け、この山形鋼41の他片41Ａ側がフランジ部４の壁体平行方向外側で、該フランジ部４と直交し、他のフランジ部４（図中下側のフランジ部）の端部側外面に、外面嵌合部たる山形鋼44の一片側の端部を取付けると共に、該山形鋼44の他片が前記フランジ部４の外面と間隔を置いてほぼ平行に配置されている。これに対して、隣接する他方のＨ形部材２の他のフランジ部４（図中下側のフランジ部）の端部側外面に、内面係合部たる山形鋼41の一片側の端部を取付け、この山形鋼41の他片41Ａ側がフランジ部４の壁体平行方向外側で、該フランジ部４と直交する。前記山形鋼41を設けたフランジ部４に隣接するフランジ部４が当たる位置で位置決めされ、他のフランジ部４の端部が前記山形鋼44内に嵌合する。そして、フランジ部４，４間の空間Ｓに固化材６を充填する。
【００９８】
そして、本実施例では、隣接するＨ形部材２，２のフランジ部４，４同士を重ね合わせ、空間Ｓに固化材６を充填することにより、剛性及び止水性に優れた連続壁体１が得られ、また、継手部材を強固にする必要がなくなり、壁体平行方向のずれ防止が可能となる。
【実施例１６】
【００９９】
図２９〜図３０は本発明の実施例１６を示し、上記各実施例と同一部分に同一符号を付し、上記実施例と同一部分に同一符号を付し、その詳細な説明を省略して詳述すると、この例は隣接する同一形状のＨ形部材同士を嵌合する継手部材を示し、隣接する一方のＨ形部材２の１つのフランジ部４（図中上側のフランジ部）の端部側内面に、２つの山形鋼31，31を並べて取付け、継手部材たる両山形鋼31，31間に内面嵌合部たる山形凹部32を形成し、この山形凹部32にＨ形部材長さ方向から嵌入する外面嵌合部たる山形凸部33を、隣接するＨ形部材２の１つフランジ部４の端部側外面に設け、前記山形凸部33は、継手部材たる山形鋼31をフランジ部４の端部側外面に取付けて構成される。また、隣接する他方のＨ形部材２の他のフランジ部４（図中下側のフランジ部）の端部側内面に、継手部材たる２つの山形鋼31，31を並べて取付け、両山形鋼31，31間に内面嵌合部たる山形凹部32を形成し、この山形凹部32にＨ形部材長さ方向から嵌入する外面嵌合部たる山形凸部33を、隣接するＨ形部材２の他のフランジ部４の端部側外面に設け、前記山形凸部33は山形鋼31をフランジ部４の端部側外面に取付けて構成される。さらに、隣接する一方のＨ形部材２のフランジ部４には、他方のＨ形部材２のフランジ部４の端部に外嵌する外面嵌合部たる山形鋼45の一片側の端部が取付けられ、この山形鋼45の他片45Ａが、他方のＨ形部材２のフランジ部４の端部に外嵌する。そして、フランジ部４，４間の空間Ｓに固化材６を充填する。
【０１００】
そして、本実施例では、隣接するＨ形部材２，２のフランジ部４，４同士を重ね合わせ、空間Ｓに固化材６を充填することにより、剛性及び止水性に優れた連続壁体１が得られ、また、継手部材を強固にする必要がない。
【実施例１７】
【０１０１】
図３１は本発明の実施例１７を示し、上記各実施例と同一部分に同一符号を付し、上記実施例と同一部分に同一符号を付し、その詳細な説明を省略して詳述すると、この例は隣接する同一形状のＨ形部材同士を係合する継手部材を示し、隣接する一方のＨ形部材２の１つのフランジ部４（図中上側のフランジ部）の端部側内面及び他のフランジ部４（図中下側のフランジ部）の端部側外面に、継手部材たる２つの丸鋼35，35を並べて取付け、両丸鋼35，35間に内面及び外面嵌合部たる凹部36を形成し、この凹部36にＨ形部材長さ方向から嵌入する外面及び内面嵌合部たる凸部37を、隣接する他方のＨ形部材２のフランジ部４の一方のＨ形部材２の１つのフランジ部４（図中上側のフランジ部）の端部側外面及び他のフランジ部４（図中下側のフランジ部）の端部側内面に設け、前記凸部33は丸鋼35をフランジ部４に取付けて構成される。また、隣接する他方のＨ形部材２の他のフランジ部４の内面には、一方のＨ形部材２の他のフランジ部２に外嵌する山形鋼45が取付けられている。そして、フランジ部４，４間の空間Ｓに固化材６を充填する。
【０１０２】
そして、本実施例では、隣接するＨ形部材２，２のフランジ部４，４同士を重ね合わせ、空間Ｓに固化材６を充填することにより、剛性及び止水性に優れた連続壁体１が得られ、また、継手部材を強固にする必要がない。
【実施例１８】
【０１０３】
図３２は本発明の実施例１８を示し、上記各実施例と同一部分に同一符号を付し、上記実施例と同一部分に同一符号を付し、その詳細な説明を省略して詳述すると、この例は隣接する同一形状のＨ形部材同士を係合する継手部材を示し、大型のＨ形部材２の１つのフランジ部４（図中上側のフランジ部）の端部側内面及び他のフランジ部４（図中上側のフランジ部）の端部外面に、内面及び外面嵌合部たる山形鋼41の一片側の端部を取付け、この山形鋼41の他片41Ａ側はフランジ部４とほぼ平行で、先端がフランジ部４の壁体平行方向外側に向き、外面及び内面嵌合部たる山形鋼42の一片側の端部を隣接する他方のＨ形部材２の１つのフランジ部４の端部側外面及び他のフランジ部４の端部側内面に取付け、この山形鋼42の他片42Ａ側はフランジ部４とほぼ平行で、先端がフランジ部４の壁体平行方向外側に向き、さらに、それぞれの他片41Ａ，42Ａの先端側内面に、丸鋼35，35をそれぞれ設け、これら丸鋼35，35同士が係止することにより両山形鋼41，42がフランジ部４，４の長さ方向の離脱を規制する状態で嵌合する。尚、山形鋼41，42は同一形状である。そして、フランジ部４，４間の空間Ｓに固化材６を充填する。
【０１０４】
そして、本実施例では、隣接するＨ形部材２，２のフランジ部４，４同士を重ね合わせ、空間Ｓに固化材６を充填することにより、剛性及び止水性に優れた連続壁体１が得られ、また、継手部材を強固にする必要がない。
【実施例１９】
【０１０５】
図３３は本発明の実施例１９を示し、上記各実施例と同一部分に同一符号を付し、その詳細な説明を省略して詳述すると、この例は隣接するＨ形部材同士を嵌合する継手部材を示し、大型のＨ形部材２のフランジ部４の端部側内面に、内面嵌合部たる山形鋼31を取付け、この山形鋼31にＨ形部材長さ方向から外嵌する外面嵌合部たる山形凹部33を、小型のＨ形部材２Ａのフランジ部４Ａの端部側外面に設け、前記山形凹部33は山形鋼31の角部をフランジ部４Ａの端部側外面に取付けて構成される。そして、フランジ部４，４，４Ａ，４Ａ間の空間Ｓに固化材６を充填する。
【０１０６】
そして、本実施例では、隣接するＨ形部材２，２のフランジ部４，４同士を重ね合わせ、空間Ｓに固化材６を充填することにより、剛性及び止水性に優れた連続壁体１が得られ、また、継手部材を強固にする必要がない。
【０１０７】
尚、継手部材を設けた上記各実施例では、図１４の溝形鋼13を設けたもの以外は、全て継手部材は、フランジ部４，４Ａの端部より長さ方向内側（ウエブ３，３Ａ）に位置して、該端部から突出していない。
【実施例２０】
【０１０８】
図３４は本発明の実施例２０を示し、上記各実施例と同一部分に同一符号を付し、その詳細な説明を省略して詳述すると、この例は、連続壁体１，１が交差するコーナ部の変形例であり、一方の連続壁体１のＨ形部材２には、大型のＨ形部材２のフランジ部４の両端部外面に、継手部材たる鉄板14を溶接などにより設け、この鉄板14の外面に、外面嵌合部たる山形凸部33を設けており、この山形凸部33に、他方の連続壁体１のＨ形部材２の山形凹部32が外嵌する。そして、フランジ部４，４，４Ａ，４Ａ間の空間Ｓに固化材６を充填し、コーナ部では、フランジ部４外面と、フランジ部４，４内面との間の空間Ｓに固化材６を充填する。
【０１０９】
このように連続壁体１のコーナ部においても、継手部材たる鉄板14，山形鋼31を用いて、隣接するＨ形部材２，２同士を嵌合接合し、空間Ｓに固化材６を充填して剛性及び止水性を向上することができる。
【実施例２１】
【０１１０】
図３５は本発明の実施例２１を示し、上記各実施例と同一部分に同一符号を付し、その詳細な説明を省略して詳述すると、この例は隣接するＨ形部材同士を連結する継手部材を示し、Ｈ型部材２，２Ａ間には重ね合わせ部がなく、フランジ部４，４の延長線（図示せず）と隣接するＨ型部材２Ａのフランジ部４Ａ，４Ａとを重ね合わせ、すなわちフランジ部４，４とフランジ部４Ａ，４Ａとは真直ぐ並ぶことなく、幅方向（壁体直角方向）にずれた位置で、且つ壁体平行方向に離れており、フランジ部４，４の延長線の間にフランジ部４Ａ，４Ａが挿入配置されている。そして、小型のＨ形部材２Ａのフランジ部４Ａの端部側内面に、継手部材たるＬ形鋼51の一片内側を取付ける共に、他片51Ａ側をフランジ部４Ａの端部から該フランジ部４Ａの長さ方向外側に突出する。また、内面嵌合部たる溝型鋼52を大型のＨ形部材２のフランジ部４の端部側内面に、継手部材たる溝形鋼52の外面側を取付けて該溝形鋼52内に前記Ｌ形鋼51の他片51Ａを係入可能に構成する。このように、Ｈ形部材２，２Ａのフランジ部４，４Ａに継手部材たる溝形鋼52，Ｌ形鋼51を突設し、隣接するＨ形部材２，２Ａのフランジ部４，４Ａを厚さ方向（壁体直角方向）にずらしている。
【０１１１】
したがって、施工においては、図３５に示すように、隣接するフランジ部４，４Ａをその厚さ方向にずらし、且つフランジ部４，４の延長線の間にフランジ部４Ａ，４Ａを位置合わせし、該溝形鋼52内に前記Ｌ形鋼51の他片51Ａを係入するようにＨ形部材２，２Ａを設置し、それら溝形鋼52とＬ形鋼51とが重なった重ね合わせ部５Ａが形成され、溝形鋼52の長さにより重ね合わせ部５Ａの寸法を調整できる。そして、フランジ部４，４，４Ａ，４Ａ間及び溝形鋼52，52，Ｌ形鋼51，51の間の空間Ｓに固化材６を充填する。
【０１１２】
このように本実施例では、請求項２に対応して、Ｈ形部材２，２Ａを矢板として用いた連続壁体１であって、Ｈ形部材２のフランジ部４の延長線と隣接するＨ形部材２Ａのフランジ部４Ａとを重ね合わせ、両側のフランジ部４，４，４Ａ，４Ａ及び略その延長線の間に固化材６を充填したから、フランジ部４，４Ａ同士の離間を変えることで、簡単に壁体１の剛性を大きくしたり小さくしたりできる。そして、隣接するＨ形部材２，２Ａの継手部材とフランジ部又は継手部材同士を重ね合わせた場合、壁体１の剛性が高まる。また、Ｈ形部材２，２Ａ同士の離間は固定されたものでなく、任意に設定できるため、設計通りの壁体平行方向寸法の連続壁体１を容易に形成できる。また、設置する場合は、個別のＨ形部材２，２Ａの所定位置が精度上で劣っても、簡単に調整して施工できる。さらに、フランジ部４，４Ａ同士の重ね合わせへの移行も容易にできる。
【０１１３】
また、このように本実施例では、請求項４に対応して、Ｈ形部材２，２Ａには、隣接するＨ形部材２，２Ａ同士を係合する継手部材たる溝形鋼52，Ｌ形鋼51をフランジ部４，４Ａに設けたから、継手部材が嵌合し、施工時のガイドとなるほか、取り付け位置が確定する。
【０１１４】
このようなＨ形部材２，２を組合わせた構造において、フランジ部４，４，４Ａ，４Ａ及び継手部材たる溝形鋼52，52，Ｌ形鋼51，51の間に固化材６を充填するから、壁体１全体の剛性をさらに高めることができ、高い側圧が作用する大深度での土留壁などに適用可能となる。また、固化材６にセメント系を用いれば、その固化材６は圧縮材であり、上載荷重に耐える基礎構造となる。さらに、内部に固化材６を充填するから、壁体１全体の止水性が向上する。また、充填した固化材６により、Ｈ形部材２，２Ａ相互の位置が壁体直角方向及び壁体平行方向ともに固定され、地震時における安定性が確保される。また、隣接するＨ形部材２，２Ａのフランジ部４，４Ａ同士を重ね合わせ、固化材６を充填することにより、壁厚を小さくでき、Ｈ形部材２，２Ａを用いた連続壁体１構築のための掘削土量、コンクリート量などが小さくなり、さらに、必要な用地面積が小さくて済む。また、両側のフランジ部４，４Ａ同士の離間長を変えて継手部材たる溝形鋼52，Ｌ形鋼51を配設することで、曲線形状壁体を簡単に作成できる。
【０１１５】
尚、本実施例では、隣接する一方のＨ形部材２の両フランジ部４，４の延長線の間に、他方のＨ形部材２の両フランジ部４Ａ，４Ａを挿入しているが、隣接する一方のＨ形部材２の両フランジ部４，４の延長線の間に、他方のＨ形部材２Ａの両フランジ部４Ａ，４Ａの一方を挿入してもよく、隣接するＨ形部材同士が同一形状としてもよく、Ｈ形部材２，２Ａに、圧延Ｈ形鋼を用いてもよく、継手部材に、Ｌ型鋼，溝形鋼，丸鋼，平鋼などの圧延鋼材を用いてもよい。
【０１１６】
なお、連続壁体１の構築方法において、Ｈ形部材２，２Ａを矢板として用い、Ｈ形部材２のフランジ部４の延長線と隣接するＨ形部材２Ａのフランジ部４Ａとを重ね合わせた連続壁体１の構築方法であって、Ｈ形部材２，２Ａを設置する設置工程と、両側のフランジ部２，２Ａ及び略その延長線の間に固化材６を充填する充填工程とからなるから、剛性及び止水性の高い連続壁体１を構築でき、この際、Ｈ形部材２，２Ａの設置工程と固化材６の充填工程とが分離しているため、任意形状の壁体１を容易に構築できる。固化材６として、形状追随が可能な流動体を用いて、フランジ部４，４Ａ間に固化材６を充填するため、固化材６の材料にムダが生じない。また、固化材６はコンクリート又はモルタルであり、充填工程は、フランジ部４，４Ａおよび略その延長線の間を掘削する工程と、固化材６を打設する工程とからなるから、Ｈ形部材２のフランジ部４，４Ａ間にある土を排出する掘削工程があるため、コンクリート、モルタルの充填が確実となる。また、掘削をフランジ部４，４Ａ間で行うから、外部の地山を傷めることがない。また、固化材６はセメント又はソイルセメントであり、充填工程は、注入管９を挿入する工程と、固化材６を注入する工程とからなるから、Ｈ形部材２，２Ａのフランジ部４，４Ａ及び略その延長線の間に土があっても、任意の箇所にセメントなどを注入し、セメントまたはソイルセメントの固化材６を単独で固化させたり、土などとの結合構造を得たりできる。また、Ｈ形部材２，２Ａのフランジ部４，４Ａ間で固化材６の注入を行うため、外部への漏れが少なく、外部の地山を傷めることがない。また、設置工程は、Ｈ形部材２，２Ａを打撃又は圧入によるから、溝を形成して建て込む方法に比べて、施工機械が汎用的で簡便なもので対応でき、また、地山を傷めず、地山を安定液で押さえる必要もなく、安価な方法となる。
【実施例２２】
【０１１７】
図３６は本発明の実施例２２を示し、上記各実施例と同一部分に同一符号を付し、その詳細な説明を省略して詳述すると、この例は隣接するＨ形部材同士を嵌合する継手部材を示し、大型のＨ形部材２のフランジ部４の端部側内面に、内面嵌合部たる山形鋼41の一片側の端部を取付け、この山形鋼41の他片41Ａ側はフランジ部４とほぼ平行で、先端がフランジ部４の壁体平行方向外側に向き、内面嵌合部たる溝型鋼13を小型のＨ形部材２Ａのフランジ部４Ａの端部側内面に取付け、前記溝形鋼13内に前記山形鋼41の他片41Ａが嵌入する。そして、フランジ部４，４，４Ａ，４Ａ間及び継手部材たる山形鋼41，41，溝形鋼13，13の間の空間Ｓに固化材６を充填する。
【０１１８】
このように本実施例では、請求項２及び４に対応して、上記実施例２１と同様な作用・効果を奏する。
【実施例２３】
【０１１９】
図３７は本発明の実施例２３を示し、上記各実施例と同一部分に同一符号を付し、その詳細な説明を省略して詳述すると、同一形状のＨ形部材２，２を用い、Ｈ形部材２のフランジ部４，４の延長線と隣接するＨ形部材２のフランジ部４，４とを重ね合わせており、フランジ部４，４，４，４間及び略フランジ部４，４の延長線の間の空間Ｓに固化材６を充填する。
【０１２０】
このように本実施例では、請求項２に対応して、Ｈ形部材２，２を矢板として用いた連続壁体１であって、Ｈ形部材２のフランジ部４の延長線と隣接するＨ形部材２のフランジ部４とを重ね合わせ、両側のフランジ部４，４，４，４及び略両側のフランジ部４，４，４，４の延長線の間に固化材６を充填したから、フランジ部４，４同士の離間を変えることで、簡単に壁体１の剛性を大きくしたり小さくしたりできる。
【実施例２４】
【０１２１】
図３８は本発明の実施例２４を示し、上記各実施例と同一部分に同一符号を付し、その詳細な説明を省略して詳述すると、同一形状のＨ形部材２，２Ａを用い、Ｈ形部材２のフランジ部４，４の延長線の間に、隣接するＨ形部材２のフランジ部４Ａ，４Ａを挿入するようにして重ね合わせており、フランジ部４，４，４Ａ，４Ａ間及びフランジ部４，４の延長線の間の空間Ｓに固化材６を充填する。
【０１２２】
このように本実施例では、請求項２に対応して、大小のＨ形部材２，２Ａを矢板として用いた連続壁体１であって、Ｈ形部材２のフランジ部４の延長線と隣接するＨ形部材２Ａのフランジ部４Ａとを重ね合わせ、両側のフランジ部４，４，４Ａ，４Ａ及び略両側のフランジ部４，４，４Ａ，４Ａの延長線の間に固化材６を充填したから、フランジ部４，４Ａ同士の離間を変えることで、簡単に壁体１の剛性を大きくしたり小さくしたりできる。また、Ｈ形部材２，２Ａ相互の位置が壁体直角方向及び壁体平行方向ともに固定される。
【０１２３】
なお、本発明は、前記実施例に限定されるものではなく、種々の変形実施が可能である。
【図面の簡単な説明】
【０１２４】
【図１】本発明の実施例１を示す連続壁体の断面図である。
【図２】同上、基礎に適用した連続壁体の縦断面図である。
【図３】同上、湾曲状に形成した連続壁体の断面図である。
【図４】本発明の実施例２を示す土留壁に適用した連続壁体の平面図である。
【図５】同上、縦断面図である。
【図６】本発明の実施例３を示すボックスカルバートに適用した連続壁体の縦断面図である。
【図７】本発明の実施例４を示す連続壁体の断面図である。
【図８】同上、土留壁に適用した連続壁体の縦断面図である。
【図９】同上、止水壁に適用した連続壁体の縦断面図である。
【図１０】同上、Ｈ形部材の変形例を示す断面図である。
【図１１】同上、Ｈ形部材の他の変形例を示す断面図である。
【図１２】同上、連続壁体の施工手順を説明する断面図である。
【図１３】本発明の実施例５を示す土留壁に適用した連続壁体の平面図である。
【図１４】同上、連続壁体のコーナ部の平面図である。
【図１５】本発明の実施例６を示す連続壁体をボックスカルバートの防護フールに適用した縦断面説明図である。
【図１６】本発明の実施例７を示す連続壁体を山岳トンネルなどの防護フールに適用した縦断面説明図である。
【図１７】本発明の実施例８を示す連続壁体の要部の断面図である。
【図１８】同上、Ｈ形部材の断面図である。
【図１９】本発明の実施例９を示す連続壁体の要部の断面図である。
【図２０】本発明の実施例１０を示す一部を拡大した連続壁体の要部の断面図である。
【図２１】本発明の実施例１１を示す一部を拡大した連続壁体の要部の断面図である。
【図２２】本発明の実施例１２を示す連続壁体の要部の断面図である。
【図２３】同上、フランジ部の端部側の拡大断面図である。
【図２４】本発明の実施例１３を示す連続壁体の要部の断面図である。
【図２５】同上、フランジ部の端部側の拡大断面図である。
【図２６】本発明の実施例１４を示す連続壁体の要部の断面図である。
【図２７】同上、フランジ部の端部側の拡大断面図である。
【図２８】本発明の実施例１５を示す連続壁体の要部の断面図である。
【図２９】本発明の実施例１６を示す連続壁体の要部の断面図である。
【図３０】同上、フランジ部の端部側の拡大断面図である。
【図３１】本発明の実施例１７を示す連続壁体の要部の断面図である。
【図３２】本発明の実施例１８を示す連続壁体の要部の断面図である。
【図３３】本発明の実施例１９を示す連続壁体の要部の断面図である。
【図３４】本発明の実施例２０を示す連続壁体のコーナ部の断面図である。
【図３５】本発明の実施例２１を示す連続壁体の要部の断面図である。
【図３６】本発明の実施例２２を示す連続壁体の要部の断面図である。
【図３７】本発明の実施例２３を示す連続壁体の要部の断面図である。
【図３８】本発明の実施例２４を示す連続壁体の要部の断面図である。
【符号の説明】
【０１２５】
１  連続壁体
２  Ｈ形部材
２Ａ  Ｈ形部材
４  フランジ部
４Ａ  フランジ部
５  重ね合わせ部
５Ａ  重ね合わせ部
６  固化材
７  剥離材
13  溝形鋼（継手部材）
14  鉄板（継手部材）
31  山形鋼（継手部材）
35  丸鋼（継手部材）
41  山形鋼（継手部材）
42  山形鋼（継手部材）
43  山形鋼（継手部材）
44  山形鋼（継手部材）
45  山形鋼（継手部材）
51  Ｌ形鋼（継手部材）
52  溝形鋼（継手部材）
【図１】
2005256571.tif 000003
【図２】
2005256571.tif 000004
【図３】
2005256571.tif 000005
【図４】
2005256571.tif 000006
【図５】
2005256571.tif 000007
【図６】
2005256571.tif 000008
【図７】
2005256571.tif 000009
【図８】
2005256571.tif 000010
【図９】
2005256571.tif 000011
【図１０】
2005256571.tif 000012
【図１１】
2005256571.tif 000013
【図１２】
2005256571.tif 000014
【図１３】
2005256571.tif 000015
【図１４】
2005256571.tif 000016
【図１５】
2005256571.tif 000017
【図１６】
2005256571.tif 000018
【図１７】
2005256571.tif 000019
【図１８】
2005256571.tif 000020
【図１９】
2005256571.tif 000021
【図２０】
2005256571.tif 000022
【図２１】
2005256571.tif 000023
【図２２】
2005256571.tif 000024
【図２３】
2005256571.tif 000025
【図２４】
2005256571.tif 000026
【図２５】
2005256571.tif 000027
【図２６】
2005256571.tif 000028
【図２７】
2005256571.tif 000029
【図２８】
2005256571.tif 000030
【図２９】
2005256571.tif 000031
【図３０】
2005256571.tif 000032
【図３１】
2005256571.tif 000033
【図３２】
2005256571.tif 000034
【図３３】
2005256571.tif 000035
【図３４】
2005256571.tif 000036
【図３５】
2005256571.tif 000037
【図３６】
2005256571.tif 000038
【図３７】
2005256571.tif 000039
【図３８】
2005256571.tif 000040